(57)【要約】      （修正有）【課題】ラッチボルトの半掛り状態が発生し難いと共に、振動等による偶発的な解錠がないキャップ付きのラッチ錠装置を提供する。【解決手段】閉扉状態でラッチボルト７が受け金具に係合し、制御板８の先端が受け金具に当接して後退位置にある場合に、ふた板を閉じることによって、ロックピン５が押し込まれ、ラッチボルト７の凹部１５へ落ち込んでラッチボルト７を錠止位置に拘束する。さらに、ふた板は閉鎖位置で固定枠板に錠止されるので、ロックピン５はロック位置に拘束され、ラッチボルト７が衝撃等で意図せずに後退して扉が開かない構成とした。【選択図】図７
2018076727.tif 000002
【特許請求の範囲】
【請求項１】
筐体の固定枠体にヒンジ結合された扉を固定枠体に錠止するために扉に取り付けられる施錠装置であって、
前記固定枠体に固定される受け金具に対して係合離脱するラッチユニットと、当該ラチェットユニットに固定され鍵の操作により前記受け金具と前記ラッチユニットとの係合を解除するシリンダ錠と、当該シリンダ錠の鍵孔を被覆露出する保護キャップと、前記シリンダ錠の被覆状態において前記受け金具と前記ラッチユニットとの係合を拘束するロックピンとを具備し、
前記ラッチユニットは、前記扉の裏面側に固定されるラッチケースと、当該ラッチケース内に前記扉の前面と平行に進退自在に設けられ、前記受け金具に対して係脱するラッチボルト及び制御板を具備し、
前記シリンダ錠は、前記ラッチケースに固着される外筒と、前面に開口する鍵孔に鍵を挿入することによって回転され後端部において前記ラッチボルトを駆動するように当該ラッチボルトに連結される内筒とを具備し、当該内筒の前面が前記扉の前面側に露出し、
前記保護キャップは、基端部側において互い開閉自在にヒンジ結合される固定枠板及びふた板と、当該固定枠板とふた板とが閉じ合わされた閉鎖状態において両者を拘束しキャップ鍵の解錠操作により両者を解放するキャップ錠機構とを具備し、前記固定枠板が前記扉の前面側において前記シリンダ錠の外筒の前面側に固定され、前記ふた板が閉鎖状態において前記シリンダ錠の前面を被覆するように配置され、
前記ロックピンは、前記シリンダ錠の外筒と前記ラッチケースを前記扉の前面に対して垂直に前後方向に貫通し、前記ふた板が開放状態にあるとき前端部が前記扉の前面側に突出するアンロック位置と、閉鎖状態にある前記ふた板により前端部が前記外筒内に押し込まれ後端部が前記ラッチケース内へ突出するロック位置との間で前後に進退自在で、アンロック位置に付勢され、
前記ラッチボルトは、前記ラッチケースから突出して前記受け金具に係合する錠止位置と当該受け金具との係合が外れる解錠位置との間を進退自在で、錠止位置に付勢され、閉扉動作途上で前記受け金具が摺接する摺動斜面と、錠止位置において前記ロックピンのロック位置への後退を許容することによってラッチボルトを錠止位置に拘束する凹部と、錠止位置と解錠位置との中間位置において前記ロックピンのロック位置への後退を阻止する当接面とを具備し、閉扉動作途上で前記摺動斜面が前記受け金具に押されて解錠位置へ後退した後、閉扉状態において錠止位置へ突出することによって前記受け金具に係合するように設けられ、
前記制御板は、前記ラッチボルトと並んで前記ラッチケースから突出する突出位置と前記ラッチケース側へ後退した後退位置との間を進退自在で、突出位置に付勢され、閉扉状態において先端面が前記受け金具に当接して後退位置に配置され、閉扉動作途上で前記受け金具に摺接する摺動斜面と、突出位置において前記ロックピンの後端に対面することによってそれのロック位置への後退を阻止する当接面と、後退位置において前記ロックピンのロック位置への後退を許容する凹部とを具備し、閉扉動作途上で前記摺動斜面が前記受け金具に押されて後退位置へ後退するように設けられることを特徴とするラッチ錠装置。
【発明の詳細な説明】
【技術分野】
【０００１】
本発明は、筐体の固定枠体にヒンジ結合された扉を閉扉状態において固定枠体に錠止するために扉に取り付けられる施錠装置に関する。
【背景技術】
【０００２】
従来、例えば交通信号機の制御盤が収納されたボックスの扉に使用される錠では、塵埃や雨水の侵入によって錠機構が作動不良を来さないようにするため、鍵孔を被覆するキャップを錠本体の前面部に装備している（例えば、特許文献１参照）。キャップは、錠本体の前面と平行な枢軸によってヒンジ結合された固定翼部と可動翼部とからなる。固定翼部が錠本体に固定される。可動翼部が固定翼部に閉じ合わされたとき、それが錠本体の前面部を被覆する。可動翼部はフック部を具備し、固定翼部はフック部に係脱するキャッチ部を具備する。可動翼部が固定翼部に閉じ合わされて錠本体の前面側を被覆したとき、フック部がキャッチ部に係合する。両者の係合は、鍵を使用して解錠するまで維持される。
【先行技術文献】
【特許文献】
【０００３】
【特許文献１】特開２００４−２５０８７７号公報
【発明の概要】
【発明が解決しようとする課題】
【０００４】
上記従来の錠装置は、扉に固着され、筐体の固定枠体に固着される受金に対して係合する。すなわち、上記従来の錠装置においては、錠装置を構成するラッチユニットの側面から突出するようにばねで摺動付勢されたラッチボルトが、固定枠体側の受金の丸軸棒に係合することによって扉を枠体に錠止するのが一般的である。ラッチボルトは、丸軸棒に摺接する摺動斜面部と、丸軸棒が係合して当接する平坦面部とを具備する。
一般的に、丸軸棒は、軸周り回転可能になっている。そのため、何らかの原因でラッチボルトの平坦面部が丸軸棒に半掛り状態、つまり本来の平坦面部の先端部でしか引っ掛っていない場合、あるいはラッチボルトが丸軸棒に途中まで押し込まれている場合には、外部振動や固定枠体と扉間のパッキングの反発力等によって丸軸棒が自転し易い。これにより、ラッチボルトと丸棒軸との係合が外れ、扉が意図せずに開放されてしまう危険がある。また、大きな衝撃が加えられると、ラッチボルトがばね力に抗して後退し、これにより扉が開放される危険もある。
したがって、本発明は、ラッチボルトの半掛り状態が発生し難いと共に、振動等による偶発的な解錠がないキャップ付きのラッチ錠装置を提供することを目的としている。
【課題を解決するための手段】
【０００５】
以下、添付図面の符号を参照して説明するが、本発明はこれに限定されるものではない。
上記課題を解決するための、本発明のラッチ錠装置１は、筐体の固定枠体にヒンジ結合された扉を固定枠体に錠止するために扉に取り付けられる施錠装置であって、固定枠体に固定される受け金具４１に対して係合離脱するラッチユニット２と、当該ラチェットユニット２に固定され鍵の操作で受け金具４１とラッチユニット２との係合を解除するシリンダ錠３と、当該シリンダ錠３の鍵孔２５を被覆露出する保護キャップ４と、シリンダ錠３を被覆した状態において受け金具４１とラッチユニット２との係合を拘束するロックピン５とを具備する。
ラッチユニット２は、扉の裏面側に固定されるラッチケース６と、当該ラッチケース６内に扉の前面と平行に進退自在に設けられ、受け金具４１に対して係脱するラッチボルト７及び制御板８を具備する。
シリンダ錠３は、ラッチケース６に固着される外筒２４と、鍵によって外筒２４に対して回転できるように前面に鍵孔２５が開口し、後端部においてラッチボルト７を駆動するように当該ラッチボルト７に連結される内筒２６とを具備し、当該内筒２６の前面が扉の前面側に露出するように設けられる。
保護キャップ４は、基端部側において互い開閉自在にヒンジ結合される固定枠板２９及びふた板３０と、当該固定枠板２９とふた板３０とが閉じ合わされた閉鎖状態において両者を拘束しキャップ鍵の解錠操作により両者を解放するするキャップ錠機構３２ａ，３２ｂとを具備し、固定枠板２９が扉の前面側においてシリンダ錠３の外筒２４の前面側に固定され、ふた板３０が閉鎖状態においてシリンダ錠３の前面を被覆するように配置される。
ロックピン５は、シリンダ錠３の外筒２４とラッチケース６を垂直に前後方向に貫通し、ふた板３０が開放状態にあるとき前端部が扉の前面側に突出するアンロック位置と、閉鎖状態にあるふた板３０により前端部がシリンダ錠３内に押し込まれ、後端部がラッチケース６内へ突出するロック位置との間で前後に進退自在であり、アンロック位置に付勢される。
ラッチボルト７は、ラッチケース６から突出して受け金具４１に係合する錠止位置と当該受け金具４１との係合が外れる解錠位置との間を扉の前面と平行に進退自在で、錠止位置に付勢される。ラッチボルト７は、閉扉動作途上で受け金具４１が摺接する摺動斜面１２と、錠止位置においてロックピン５のロック位置への後退を許容し、それによってラッチボルト７を錠止位置に拘束する凹部１５と、錠止位置と解錠位置との中間位置においてロックピン５の後端に対面し、それによってロックピン５のロック位置への後退を阻止する当接面１４とを具備し、閉扉動作途上で摺動斜面１３が受け金具４１に押されて解錠位置へ後退した後、閉扉状態において錠止位置へ突出して受け金具４１に係合するように設けられる。
制御板８は、ラッチボルト７と並んでラッチケース６から突出する突出位置とラッチケース６側へ後退した後退位置との間を進退自在で、突出位置に付勢され、閉扉状態において先端面２３が受け金具４１に当接して後退位置に配置される。制御板８は、閉扉動作途上で受け金具４１に摺接する摺動斜面１９と、突出位置においてロックピン５の後端に対面することによって、そのロック位置への後退を阻止する当接面２１と、後退位置においてロックピンのロック位置への後退を許容する凹部２２とを具備し、閉扉動作途上で摺動斜面１９が受け金具４１に押されて後退位置へ後退するように設けられる。
【発明の効果】
【０００６】
本発明のラッチ錠装置１においては、完全な閉扉状態においてラッチボルト７が受け金具４１に係合し、かつ制御板８の先端が受け金具４１に当接して後退位置にあるから、保護キャップ４のふた板３０を閉じれば、ロックピン５がシリンダ錠３内に押し込まれ、後端部がラッチボルト７及び制御板８の凹部１５，２２へ落ち込んでラッチボルト７を錠止位置に拘束する。ふた板３０は、閉鎖位置で固定枠板２９に錠止されるから、ロックピン５は、ロック位置に拘束される。したがって、ラッチボルト７が衝撃等により意図せずに後退して扉が開くことはない。シリンダ錠３と保護キャップ４により、扉は二重に施錠されることになる。一方、制御板８が受け金具４１により後退位置へ押し込まれた状態、すなわちラッチボルト７が受け金具４１に係合した状態にないときには、制御板８が突出位置にあって、ロックピン５が当接面２１に対面してアンロック位置に拘束され、シリンダ錠３から前方へ突出しているから、ふた板３０を閉じることができない。また、ラッチボルト７が受け金具４１に不完全に係合した半掛り状態では、ラッチボルト７が錠止位置に完全に突出していないので、ロックピン５が当接面１４に当接して押し込めない。このため、ふた板３０の状態により扉の確実な施錠を確認することができる。
【図面の簡単な説明】
【０００７】
【図１】本発明に係るラッチ錠装置の正面図であり、（Ａ）は保護キャップを閉じた施錠状態、（Ｂ）は保護キャップを開いた解錠状態を示す。
【図２】図１のラッチ錠装置の側面図であり、（Ａ）は保護キャップを閉じた施錠状態、（Ｂ）は保護キャップを開いた解錠状態を示す。
【図３】図１のラッチ錠装置におけるラッチユニットの内部を示す正面図であり、（Ａ）は保護キャップを閉じた施錠状態、（Ｂ）は保護キャップを開いた解錠状態を示す。
【図４】図１のラッチ錠装置のロックピン周辺の断面図であり、（Ａ）は図１（Ａ）におけるＩＶａ−ＩＶａに沿う一部の断面図、（Ｂ）は図１（Ｂ）におけるＩＶｂ−ＩＶｂに沿う一部の断面図である。
【図５】図１のラッチ錠装置のロックピン周辺の断面図であり、（Ａ）は図１（Ａ）におけるＶａ−Ｖａに沿う一部の断面図、（Ｂ）は図１（Ｂ）におけるＶｂ−Ｖｂに沿う一部の断面図である。
【図６】図１のラッチ錠装置おけるラッチユニットの内部を示す正面図であり、（Ａ）は閉扉動作の途上、（Ｂ）は解錠時を示す。
【図７】図１のラッチ錠装置の構成の一部を示す分解斜視図である。
【発明を実施するための形態】
【０００８】
図面を参照して本発明の実施の形態を説明する。
図１、図２において、ラッチ錠装置１は、図示しない筐体の固定枠体にヒンジ結合された扉を固定枠体に錠止するために扉に取り付けられる施錠装置であって、ラッチユニット２と、シリンダ錠３と、保護キャップ４と、ロックピン５とを具備する。
【０００９】
ラッチユニット２は、扉の裏面側に固定され、閉扉により自動的に固定枠体側の受け金具４１に係合して施錠され、図示しない鍵によってシリンダ錠３を解錠操作することにより、受け金具４１に対して離脱し、開扉を可能とする。
【００１０】
図２、図３に示すように、ラッチユニット２は、ラッチケース６と、当該ラッチケース６内に設けられるラッチボルト７と制御板８とを具備する。
【００１１】
図４に示すように、ラッチケース６は、前方に開放する矩形箱状のケース本体９と、その開口を閉じるようにケース本体９に固定される前面板１０とを具備する。前面板１０が、扉の前面と平行に扉に固定される。
【００１２】
ラッチボルト７は、ラッチケース６内に設けられ、ラッチケース６の開口から突出して受け金具４１に係合する錠止位置（図１ないし図５の(Ａ）)と、ラッチケース６内へ退避して受け金具４１との係合が外れる解錠位置（図６（Ｂ））との間を扉の前面と平行に進退自在で、ばね１１により、錠止位置に付勢される。
【００１３】
図５、図６に示すように、ラッチボルト７は、受け金具４１が摺動する摺動斜面１２と、受け金具４１が係合する係合平面１３と、ロックピン５が当接する当接面１４（図６）と、ロックピン５が落ち込む凹部１５（図６）と、シリンダ錠３が係合するカム溝１６（図６）とを具備する。
【００１４】
閉扉動作の途上で受け金具４１が摺動斜面１２の基端側から先端側へと摺接することにより、ラッチボルト７を解錠位置へ後退させ（図６（Ａ））、閉扉位置において受け金具４１が摺動斜面１２の先端を通過すると、ばね１１により、ラッチボルト７が錠止位置へ突出し（図１ないし図５の(Ａ）)、自動的に受け金具４１が係合平面１３に係合する。
【００１５】
図６、図７に示すように、ラッチボルト７の進退方向に沿う一方の縁部に、係合平面１３に連続して基端側へ延びる突条１７が設けられ、それの端部に、係合平面１３に連続する当接面１４と、これに対して垂直に後方へ落ちる凹部１５が設けられる。
【００１６】
図６に示すように、制御板８は、ラッチボルト７の進退方向に沿う一方の側面に沿うようにラッチボルト７と並んで、これと同方向に進退自在にケース６内に支持される。制御板８は、錠止位置にあるラッチボルト７と並んでラッチケース６から突出する突出位置（図１ないし図５の(Ｂ）)と、受け金具４１に押されてラッチケース１６内へ後退した後退位置（図１ないし図５の(Ａ）)との間を扉の前面と平行に進退自在であり、ばね１８により、突出位置に付勢される。制御板８は、摺動斜面１９と、先端突起２０と、当接面２１と、凹部２２とを具備する。制御板８は、隣接するラッチボルト７の側面と概略同形状で、摺動斜面１９は、突出位置において、錠止位置にあるラッチボルト７の摺動斜面１２と面一となり（図５（Ｂ））、当接面２１は当接面１４と面一である。図４，５に示すように、先端突起２０は、制御板８の先端部において、ラッチボルト７の係合平面１３より高く前方へ起立しており、摺動斜面１９に連続して前方へ垂直に起立する先端面２３を具備する。
【００１７】
制御板８は、閉扉動作の途上で受け金具４１が摺動斜面１９の基端側から先端側へと摺接することにより、ラッチボルト７と一体に後退位置（図６（Ａ））へ押し込まれるが、受け金具４１が摺動斜面１９を通過した後も、先端面２３が受け金具４１に当接するので、後退位置に保持され、したがって、ラッチボルト７のみが錠止位置へ突出して受け金具４１に係合する（図１ないし図５の(Ａ）)。
【００１８】
図５に示すように、シリンダ錠３は、後端においてラッチケース６の前面板１０に固着される外筒２４と、図示しない鍵による操作で外筒２４に対して解錠方向へ回転できる内筒２６とを具備する。図１(Ｂ)に示すように、シリンダ錠３は、内筒２６の前面の鍵孔２５が、扉の前面側に露出するように扉に固定される。内筒２６は、後端部において前面板１０を自在に貫通し、ラッチケース６内においてラッチボルト７のカム溝１６に係合してこれを駆動するカム２７（図３，５，６）を具備する。
【００１９】
図１、図２に示すように、保護キャップ４は、扉の前面と平行な枢軸２８により、基端部側において互い開閉自在にヒンジ結合される固定枠板２９とふた板３０とを具備する。固定枠板２９は、開口３１からシリンダ錠３の内筒２６の前面を前方へ露出させて、外筒２４の前面側に固定される。固定枠板２９とふた板３０は、互いに閉じ合わされた閉鎖状態において自動的に錠止されるキャップ錠機構３２ａ，３２ｂを先端側に具備する。錠止されたキャップ錠機構３２ａ，３２ｂは、図示しないキャップ鍵による解錠操作により解錠される。固定枠板２９は、扉の前面側においてシリンダ錠３の外筒２４の前面に固定される。図１、図２の(Ａ)に示すように、ふた板３０は、閉鎖状態においてシリンダ錠３の鍵孔２５を被覆するように配置される。
【００２０】
図４に示すように、ロックピン５は、シリンダ錠３の外筒２４とラッチケース６の前面板１０を垂直に前後方向に貫通し、ロック位置（図４（Ａ））とアンロック位置（図４（Ｂ））との間を前後方向に進退自在に設けられる。ロックピン５は、ふた板３０が開いた状態にあるとき、ばね３３に付勢されて、前端部が扉の前面側に突出したアンロック位置にあり、ふた板３０が閉じた状態にあるとき、前端部がふた板３０に押されてシリンダ錠３内に押し込まれたロック位置にある。図３に示すように、ロックピン５の後端は、ラッチボルト７と制御板８との境界部に対面しており、ロックピン５の後退は、ラッチボルト７と制御板８の当接面１４，２１の位置により制限される。
【００２１】
ラッチボルト７の凹部１５と制御板８の凹部２２との位置関係は、以下のように設定される。すなわち、図１ないし図５の(Ａ）に示すように、ラッチボルト７が錠止位置へ突出し、かつ制御板８が後退位置に保持された状態で、ラッチボルト７の凹部１５と制御板８の凹部２２とが合致し、それにより、ロックピン５の後退が許容される。また図３（Ｂ）に示すように、制御板８が突出位置にあるときには、凹部２２とロックピン５とが合致せず、したがって、ロックピン５の後退が阻止される。
【００２２】
以上のように構成されたラッチ錠装置１は、開扉状態において、ラッチボルト７と制御板８とが共にケース６から突出した位置にあり、ロックピン５は前方へ突出し、ふた板３０が開いている（図１ないし図５の(Ｂ）)。この状態で、ロックピン５の後端は制御板８の当接面２１に対面して後退できないから、ふた板３０を閉じることができない。
【００２３】
ここから、扉を閉じるとき、その途上で、筐体側の受け金具４１に摺動斜面１２，１９が押されてラッチボルト７と制御板８が一体にラッチケース６９内へ押し込まれる（図６(Ａ）)。ラッチボルト７は、その先端が受け金具４１を通過すると、付勢力により自動的に錠止位置へ突出し、係合平面１３が受け金具４１に係合して施錠される（図１ないし図５の(Ａ）)。この状態で、制御板８は、その先端面２３が受け金具４１に当接して後退位置に保持され、凹部２２がロックピン５の後端と合致するから、ロックピン５を押し込みながら、ふた板３０を閉じることができる。ふた板３０を閉じると、固定枠板２９との間でキャップ錠機構３２ａ，３２ｂが自動的に施錠される。
【００２４】
何らかの原因で、扉の閉まりが不完全で、ラッチボルト７が受け金具４１対して半掛かり状態であると、ラッチボルト７が後退途上あるいは突出途上にあるから、ロックピン５の後端がラッチボルト７の当接面１４に対面しており、ふた板３０を閉じることができない。したがって、ふた板３０の状態により、扉が完全に閉じられ、施錠されているか否かを目視により容易に確認することができる。
【００２５】
また、扉が閉じられ、ふた板３０も閉じられた状態（図１ないし図５の(Ａ）)で、ロックピン５がラッチボルト７と制御板８の凹部１５，２２にそれぞれ落ち込むことにより、ラッチボルト７と制御板８の後退が阻止されるので、大きな振動や衝撃が加えられても、施錠が解除されることはない。
【００２６】
扉を開くには、鍵をシリンダ錠３に差して内筒２６を図１において右方の解錠方向へ回転させると、図６（Ｂ）に示すように、カム２７を介してラッチボルト７がラッチケース６内へ引き込まれ、受け金具４１から外れるので、そのまま鍵と共に扉を引けばよい。開扉後、シリンダ錠３は，ラッチボルト７と共に、施錠位置に戻り、図１ないし図３の（Ｂ）の状態に戻る。
【符号の説明】
【００２７】
１      ラッチ錠装置
２      ラッチユニット
３      シリンダ錠
４      保護キャップ
５      ロックピン
６      ラッチケース
７      ラッチボルト
８      制御板
９      ケース本体
１０    前面板
１１    ばね
１２    摺動斜面
１３    係合平面
１４    当接面
１５    凹部
１６    カム溝
１７    突条ばね
１８    ばね
１９    摺動斜面
２０    先端突起
２１    当接面
２２    凹部
２３    先端面
２４    外筒
２５    鍵孔
２６    内筒
２７    カム
２８    枢軸
２９    固定枠板
３０    ふた板
３１    開口
３２ａ，ｂ  キャップ錠機構
３３    ばね
４１    受け金具
【図１】
2018076727.tif 000003
【図２】
2018076727.tif 000004
【図３】
2018076727.tif 000005
【図４】
2018076727.tif 000006
【図５】
2018076727.tif 000007
【図６】
2018076727.tif 000008
【図７】
2018076727.tif 000009
【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
筐体の固定枠体にヒンジ結合された扉を固定枠体に錠止するために扉に取り付けられる施錠装置であって、
前記固定枠体に固定される受け金具に対して係合離脱するラッチユニットと、当該ラッチユニットに固定され鍵の操作により前記受け金具と前記ラッチユニットとの係合を解除するシリンダ錠と、当該シリンダ錠の鍵孔を被覆露出する保護キャップと、前記シリンダ錠の被覆状態において前記受け金具と前記ラッチユニットとの係合を拘束するロックピンとを具備し、
前記ラッチユニットは、前記扉の裏面側に固定されるラッチケースと、当該ラッチケース内に前記扉の前面と平行に進退自在に設けられ、前記受け金具に対して係脱するラッチボルト及び制御板を具備し、
前記シリンダ錠は、前記ラッチケースに固着される外筒と、前面に開口する鍵孔に鍵を挿入することによって回転され後端部において前記ラッチボルトを駆動するように当該ラッチボルトに連結される内筒とを具備し、当該内筒の前面が前記扉の前面側に露出し、
前記保護キャップは、基端部側において互い開閉自在にヒンジ結合される固定枠板及びふた板と、当該固定枠板とふた板とが閉じ合わされた閉鎖状態において両者を拘束しキャップ鍵の解錠操作により両者を解放するキャップ錠機構とを具備し、前記固定枠板が前記扉の前面側において前記シリンダ錠の外筒の前面側に固定され、前記ふた板が閉鎖状態において前記シリンダ錠の前面を被覆するように配置され、
前記ロックピンは、前記シリンダ錠の外筒と前記ラッチケースを前記扉の前面に対して垂直に前後方向に貫通し、前記ふた板が開放状態にあるとき前端部が前記扉の前面側に突出するアンロック位置と、閉鎖状態にある前記ふた板により前端部が前記外筒内に押し込まれ後端部が前記ラッチケース内へ突出するロック位置との間で前後に進退自在で、アンロック位置に付勢され、
前記ラッチボルトは、前記ラッチケースから突出して前記受け金具に係合する錠止位置と当該受け金具との係合が外れる解錠位置との間を進退自在で、錠止位置に付勢され、閉扉動作途上で前記受け金具が摺接する摺動斜面と、錠止位置において前記ロックピンのロック位置への後退を許容することによってラッチボルトを錠止位置に拘束する凹部と、錠止位置と解錠位置との中間位置において前記ロックピンのロック位置への後退を阻止する当接面とを具備し、閉扉動作途上で前記摺動斜面が前記受け金具に押されて解錠位置へ後退した後、閉扉状態において錠止位置へ突出することによって前記受け金具に係合するように設けられ、
前記制御板は、前記ラッチボルトと並んで前記ラッチケースから突出する突出位置と前記ラッチケース側へ後退した後退位置との間を進退自在で、突出位置に付勢され、閉扉状態において先端面が前記受け金具に当接して後退位置に配置され、閉扉動作途上で前記受け金具に摺接する摺動斜面と、突出位置において前記ロックピンの後端に対面することによってそれのロック位置への後退を阻止する当接面と、後退位置において前記ロックピンのロック位置への後退を許容する凹部とを具備し、閉扉動作途上で前記摺動斜面が前記受け金具に押されて後退位置へ後退するように設けられることを特徴とするラッチ錠装置。
【手続補正２】
【補正対象書類名】明細書
【補正対象項目名】０００５
【補正方法】変更
【補正の内容】
【０００５】
以下、添付図面の符号を参照して説明するが、本発明はこれに限定されるものではない。
上記課題を解決するための、本発明のラッチ錠装置１は、筐体の固定枠体にヒンジ結合された扉を固定枠体に錠止するために扉に取り付けられる施錠装置であって、固定枠体に固定される受け金具４１に対して係合離脱するラッチユニット２と、当該ラッチユニット２に固定され鍵の操作で受け金具４１とラッチユニット２との係合を解除するシリンダ錠３と、当該シリンダ錠３の鍵孔２５を被覆露出する保護キャップ４と、シリンダ錠３を被覆した状態において受け金具４１とラッチユニット２との係合を拘束するロックピン５とを具備する。
ラッチユニット２は、扉の裏面側に固定されるラッチケース６と、当該ラッチケース６内に扉の前面と平行に進退自在に設けられ、受け金具４１に対して係脱するラッチボルト７及び制御板８を具備する。
シリンダ錠３は、ラッチケース６に固着される外筒２４と、鍵によって外筒２４に対して回転できるように前面に鍵孔２５が開口し、後端部においてラッチボルト７を駆動するように当該ラッチボルト７に連結される内筒２６とを具備し、当該内筒２６の前面が扉の前面側に露出するように設けられる。
保護キャップ４は、基端部側において互い開閉自在にヒンジ結合される固定枠板２９及びふた板３０と、当該固定枠板２９とふた板３０とが閉じ合わされた閉鎖状態において両者を拘束しキャップ鍵の解錠操作により両者を解放するするキャップ錠機構３２ａ，３２ｂとを具備し、固定枠板２９が扉の前面側においてシリンダ錠３の外筒２４の前面側に固定され、ふた板３０が閉鎖状態においてシリンダ錠３の前面を被覆するように配置される。
ロックピン５は、シリンダ錠３の外筒２４とラッチケース６を垂直に前後方向に貫通し、ふた板３０が開放状態にあるとき前端部が扉の前面側に突出するアンロック位置と、閉鎖状態にあるふた板３０により前端部がシリンダ錠３内に押し込まれ、後端部がラッチケース６内へ突出するロック位置との間で前後に進退自在であり、アンロック位置に付勢される。
ラッチボルト７は、ラッチケース６から突出して受け金具４１に係合する錠止位置と当該受け金具４１との係合が外れる解錠位置との間を扉の前面と平行に進退自在で、錠止位置に付勢される。ラッチボルト７は、閉扉動作途上で受け金具４１が摺接する摺動斜面１２と、錠止位置においてロックピン５のロック位置への後退を許容し、それによってラッチボルト７を錠止位置に拘束する凹部１５と、錠止位置と解錠位置との中間位置においてロックピン５の後端に対面し、それによってロックピン５のロック位置への後退を阻止する当接面１４とを具備し、閉扉動作途上で摺動斜面１３が受け金具４１に押されて解錠位置へ後退した後、閉扉状態において錠止位置へ突出して受け金具４１に係合するように設けられる。
制御板８は、ラッチボルト７と並んでラッチケース６から突出する突出位置とラッチケース６側へ後退した後退位置との間を進退自在で、突出位置に付勢され、閉扉状態において先端面２３が受け金具４１に当接して後退位置に配置される。制御板８は、閉扉動作途上で受け金具４１に摺接する摺動斜面１９と、突出位置においてロックピン５の後端に対面することによって、そのロック位置への後退を阻止する当接面２１と、後退位置においてロックピンのロック位置への後退を許容する凹部２２とを具備し、閉扉動作途上で摺動斜面１９が受け金具４１に押されて後退位置へ後退するように設けられる。